(57)【特許請求の範囲】
【請求項１】
電気ケーブルやロープ、ホースなどの線条材を１本以上巻回ないし結束して磁着可能な鉄柱および手摺りなどへの磁着による固着および吊し上げが可能な線条材結束具であって、
長尺状に延びかつ帯状に形成された可撓性を有するバンド本体と、
前記バンド本体の長さ方向における一端側に前記バンド本体から延設するように形成されたバンド挿通部と、前記バンド挿通部にバンド挿通孔を設け、
前記バンド本体の長さ方向における他端側に点ファスナーで固着された、磁着可能な対象物に磁着により固着する磁性体部とを備え、
磁性体部が外向きとなるようにバンド挿通孔を他端へ挿通して前記一端側に摺接するようにして前記一端側を引っ張り上げることで前記バンド挿通孔を前記磁性体部に掛止して前記バンド本体を略ループ状に保持するとともに、磁着可能な対象物に磁着により固着することを特徴とする、線条材結束具。
【請求項２】
前記他端側における前記磁性体部と前記他端との間には、前記バンド挿通孔の孔径よりも長い幅を有して前記バンド挿通孔に挿通した際に前記バンド挿通部に係止し得る他端係止部が前記バンド本体から延設するようにして形成されている、請求項１に記載の線条材結束具。
【請求項３】
前記バンド挿通部には、前記バンド挿通部から前記一端方向へ延設するようにして凸部が形成されるとともに、前記磁性体部と前記他端との間または前記他端係止部には、前記一端側部分が前記磁性体部に掛止して前記バンド本体が略ループ状に保持された際に前記凸部が挿嵌可能な挿嵌孔が形成されている、請求項１または請求項２に記載の線条材結束具。
【発明の詳細な説明】
【技術分野】
【０００１】
本発明は、電気ケーブルやロープ、ホースなどの線条材を１本以上巻回ないし結束して磁着可能な鉄柱および手摺りなどへの磁着による固着（接着）および吊し上げが可能な線条材結束具に関し、より詳細には、長尺状に延びかつ帯状に形成された可撓性を有するバンド本体と、前記バンド本体の長さ方向における一端側に前記バンド本体から延設するように形成されて、前記バンド本体の長さ方向における他端側が挿通されるバンド挿通孔を有するバンド挿通部と、前記他端側の一面側に点ファスナーで固着されて、前記一面側が外向きとなるように前記他端側を前記バンド挿通孔へ所定長さ範囲挿通して前記一端側に摺接するようにして引っ張り上げた際に前記バンド挿通部の前記一端側部分を掛止して前記バンド本体を略ループ状に保持するとともに磁着可能な対象物に磁着して固着（接着）する磁性体部とを備えることを特徴とする前記線条材結束具に関する。
【背景技術】
【０００２】
従来、建設工事の現場などでは、電気ケーブルやロープ、ホースなどの多種多様な複数の線条材が地面や床に這った状態であることが多く、工事従事者がそれらに足を引っ掛けて転倒するなどして負傷する原因となり得る他、移動や運搬の障害物となり得るなど、潜在的、表面的に問題視されていたため、これら線条材を結束して天井や鉄柱、手摺りなどへ吊し上げるなどして、当該現場の地面や床の空間を確保する必要があった。
【０００３】
例えば、固定面に設けた突起片を被固定物に打込んで固定する固定部およびケーブルなどの線条材などを支持することができる支持部を具備した建設用支持金具（特許文献１）などが従来開発されており、また、線条材を結束する結束具として、例えば、セレーションを有するバンドとそのバンドの他端を挿通する挿通孔を有したバックルを備えてその挿通孔とセレーションとを噛み合わせることで結束する結束具（特許文献２、特許文献３）や、セレーションの代わりに面ファスナーを利用した結束具（特許文献４）などが開発されていた。
【先行技術文献】
【特許文献】
【０００４】
【特許文献１】特開２００９−０４１６３９号公報
【特許文献２】特開平９−１８９３７７号公報
【特許文献３】特開２０００−３５０３３７号公報
【特許文献４】特開平１０−３２４３６４号公報
【発明の概要】
【発明が解決しようとする課題】
【０００５】
しかしながら、特許文献１に開示されている建設用支持金具のような装置では、設置が簡便とは言い難く、線条材などを支持させるのにも手間や時間、労力が掛かってしまうため、建設工事現場などでは積極的に使用されてはいなかった。また、特許文献２〜４に開示されている結束具は、いずれもバックル部分と結束具本体とが固着する態様のものであり固着の度合いは高いものの、建設工事現場などのように作業をスピーディーに行うことが要求される場所においては、これらを用いて地面や床に這っている線条材を結束して天井や鉄柱、手摺りなどへ吊し上げる作業を行うのには、建設用支持金具の場合と同様に簡便な作業とは言い難く、やはり手間や時間、労力が係ってしまうのが実情であった。
【０００６】
そこで本発明は、上述した問題点を解決するためになされたものであり、電気ケーブルやロープ、ホースなどの線条材を１本以上巻回ないし結束して磁着可能な鉄柱および手摺りなどへの磁着による固着（接着）および吊し上げが可能な線条材結束具であって、長尺状に延びかつ帯状に形成された可撓性を有するバンド本体と、前記バンド本体の長さ方向における一端側に前記バンド本体から延設するように形成されて、前記バンド本体の長さ方向における他端側が挿通されるバンド挿通孔を有するバンド挿通部と、前記他端側の一面側に点ファスナーで固着されて、前記一面側が外向きとなるように前記他端側を前記バンド挿通孔へ所定長さ範囲挿通して前記一端側に摺接するようにして引っ張り上げた際に前記バンド挿通部の前記一端側部分を掛止して前記バンド本体を略ループ状に保持するとともに磁着可能な対象物に磁着して固着（接着）する磁性体部とを備えることを特徴とする前記線条材結束具を提供することを目的とする。
【課題を解決するための手段】
【０００７】
本発明者らは、鋭意研究の結果、上述した構成を有するバンド本体とバンド挿通部と磁性体部とを備える線条材結束具を用いて、一面側が外向きとなるように線条材を巻回して他端側をバンド挿通孔へ所定長さ範囲挿通して一端側に摺接するようにして引っ張り上げることにより、磁性体部にバンド挿通部の一端側部分を掛止させて線条材を簡便、容易、かつスピーディーに巻回ないし結束することができるとともに、バンド本体を略ループ状に保持することができて当該線条材を巻回ないし結束した状態で安定的に保持することができること、さらには磁性の強い磁性体部により鉄柱や手摺りなどの磁着可能な高所へ磁着させて固着（接着）させることができ、これにより巻回ないし結束した線条材を磁着可能な鉄柱および手摺りなどへ簡便、容易、かつスピーディーに磁着させ固着（接着）させて吊し上げることができることを見出し、下記の各発明を完成した。
【０００８】
（１）電気ケーブルやロープ、ホースなどの線条材を１本以上巻回ないし結束して磁着可能な鉄柱および手摺りなどへの磁着による固着（接着）および吊し上げが可能な線条材結束具であって、長尺状に延びかつ帯状に形成された可撓性を有するバンド本体と、前記バンド本体の長さ方向における一端側に前記バンド本体から延設するように形成されて、前記バンド本体の長さ方向における他端側が挿通されるバンド挿通孔を有するバンド挿通部と、前記他端側の一面側に点ファスナーで固着されて、前記一面側が外向きとなるように前記他端側を前記バンド挿通孔へ所定長さ範囲挿通して前記一端側に摺接するようにして引っ張り上げた際に前記バンド挿通部の前記一端側部分を掛止して前記バンド本体を略ループ状に保持するとともに磁着可能な対象物に磁着して固着（接着）する磁性体部とを備えることを特徴とする前記線条材結束具。
【０００９】
（２）前記他端側における前記磁性体部と前記他端との間には、前記バンド挿通孔の孔径よりも長い幅を有して前記バンド挿通孔に挿通した際に前記バンド挿通部に係止し得る他端係止部が前記バンド本体から延設するようにして形成されている、（１）に記載の線条材結束具。
【００１０】
（３）前記バンド挿通部には、前記バンド挿通部から前記一端方向へ延設するようにして凸部が形成されるとともに、前記磁性体部と前記他端との間または前記他端係止部には、前記一端側部分が前記磁性体部に掛止して前記バンド本体が略ループ状に保持された際に前記凸部が挿嵌可能な挿嵌孔が形成されている、（１）または（２）に記載の線条材結束具。
【発明の効果】
【００１１】
本発明に係る線条材結束具によれば、線条材を簡便、容易、かつスピーディーに巻回ないし結束することができ、略ループ状の状態を安定して保持することができることにより線条材を巻回ないし結束した状態で安定的に保持することができて、巻回ないし結束した線条材を鉄柱や手摺りなどの磁着可能な高所へ簡便、容易、かつスピーディーに磁着させ固着（接着）させて吊し上げることができる。より詳細には、略ループ状の長尺状に延びかつ帯状に形成された可撓性を有するバンド本体により高い巻回性を実現することができ、前記バンド本体から長さ方向へ延設されるように形成されたバンド挿通部と、同じく前記バンド本体の長さ方向にある他端側により、前記他端側をバンド挿通部へ簡便、容易、かつスピーディーに挿通できて、線条材を簡便、容易、かつスピーディーに巻回ないし結束することができ、さらに、線条材を巻回ないし結束して略ループ状の状態を形成した際に前記他端側のいわゆる外面（本発明における一面側・正面）に現れるように配設された前記磁性体部に前記バンド挿通部の一端側部分を簡便、容易、かつスピーディーに掛止することができて、巻回ないし結束した線条材を鉄柱や手摺りなどの磁着可能な高所へ簡便、容易、かつスピーディーに磁着させ固着（接着）させて吊し上げることができる。
【図面の簡単な説明】
【００１２】
【図１】本発明に係る線条材結束具の第１実施形態について、一面側（正面）から見た場合の構成を示す図である。
【図２】本発明に係る線条材結束具の第１実施形態について、一面側の裏面（背面）から見た場合の構成を示す図である。
【図３】本発明に係る線条材結束具の第１実施形態について、側面（右側面）から見た場合の構成を示す図である。
【図４】本発明に係る線条材結束具の第２実施形態について、一面側（正面）から見た場合の構成を示す図である。図中、「Ｌ１」はバンド挿通孔の孔径（径の長さ）を示し、「Ｌ２」は他端径止部の最大幅（最も幅の長いところの長さ）を示す。
【図５】本発明に係る線条材結束具の第３実施形態について、一面側（正面）から見た場合の構成を示す図である。
【図６】本発明に係る線条材結束具の第４実施形態について、一面側（正面）から見た場合の構成を示す図である。
【図７】本発明に係る線条材結束具の第１実施形態〜第４実施形態における一端側のバリエーションの例を示す図である。図中、（Ａ）の４つの図は本発明に係る線条材結束具の第１実施形態および第２実施形態における一端側のバリエーションの例を示す図であり、（Ｂ）の４つの図は本発明に係る線条材結束具の第３実施形態および第４実施形態における一端側のバリエーションの例を示す図である。
【図８】本発明に係る線条材結束具の第４実施形態において、一面側が外向きとなるように他端側をバンド挿通孔へ所定長さ範囲挿通して一端側に摺接するようにして引っ張り上げ、バンド挿通部の一端側部分を磁性体部へ掛止してバンド本体を略ループ状に保持した状態を示す図である。
【図９】本発明に係る線条材結束具の第４実施形態において、一端側部分を磁性体部へ掛止してバンド本体を略ループ状に保持した際に凸部を挿嵌孔へ挿嵌した状態を示す図である。
【図１０】本発明に係る線条材結束具の第４実施形態において、実際に線条材を巻回ないし結束し、一面側が外向きとなるように他端側をバンド挿通孔へ所定長さ範囲挿通して一端側に摺接するようにして引っ張り上げ、バンド挿通部の一端側部分を磁性体部へ掛止してバンド本体を略ループ状に保持して凸部を挿嵌孔へ挿嵌した状態を示す図である。
【発明を実施するための形態】
【００１３】
以下、本発明に係る線条材結束具の実施形態について、図面を用いて詳細に説明する。本発明に係る線条材結束具は、電気ケーブルやロープ、ホースなどの線条材を１本以上巻回ないし結束して鉄柱や手摺りなどへの磁着による固着（接着）および吊し上げを可能とする結束具であり、本発明に係る線条材結束具の第１実施形態を表す線条材結束具１は、図１に示すように、バンド本体２とバンド挿通部３と磁性体部４を備えている。以下、各構成について詳細に説明する。
【００１４】
本第１実施形態において、バンド本体２は可撓性を有しており、図１〜３に示すように、長尺状に延びかつ帯状に形成されている。また、バンド本体２の長さ方向における一端側２１には、バンド本体２の長さ方向における他端側２３を挿通するためのバンド挿通孔３１を有するバンド挿通部３が、バンド本体２から延設するように形成されている。換言すれば、バンド挿通孔３１を有するバンド挿通部３はバンド本体２に付設（外付け）されたものではなく、長尺状に延びかつ帯状に形成されたバンド本体２を延伸して形成されたものであり、バンド本体２と同じ材質であって可撓性を有している。バンド本体２の長さ方向における他端側２３もまた、バンド本体２と同じ材質であって可撓性を有することになる。
【００１５】
本第１実施形態において、可撓性を有するバンド本体２、バンド挿通部３を含むバンド本体２の一端側２１およびバンド本体２の他端側２３の材質はいずれも同じ材質であり、その材質は、一定の強度の下で可撓性を担保することができる限りにおいて特に限定されないが、そのような材質としては、例えば樹脂を挙げることができ、合成樹脂が好ましい。可撓性を有する合成樹脂としては、例えば、ポリプロピレン（ＰＰ）、ポリエチレン（ＰＥ）、ポリエチレンテレフタラート（ＰＥＴ）、アクリロニトリル−ブタジエン−スチレン樹脂（ＡＢＳ）、ポリエステル系の熱可塑性エラストマーなどを挙げることができ、適宜選択して用いることができる。また、可撓性を有する硬化架橋性の合成樹脂も適宜選択して用いることができ、そのような硬化架橋性の合成樹脂としては、例えば、ウレタン樹脂、ウレタン変性エポキシ樹脂、フェノキシ樹脂、ウレタン架橋ポリエステル樹脂、シリコンゴム、フッ素ゴム、クロロプレン−フェノール系ゴム、ブチラール変性フェノール樹脂などを挙げることができる。
【００１６】
次に、図１および図２に示すように、本第１実施形態において、バンド挿通部３はバンド挿通孔３１を有している。本第１実施形態におけるバンド挿通部３およびバンド挿通孔３１は、図１および図２に示すような略円形の形状に限定されず、本発明の特徴を損なわない範囲においていかなる形状となるように形成されてもよい。換言すれば、本第１実施形態における一端側２１の形状は図１および図２に示すような形状に限定されず、例えば、図７（Ａ）に示されている４つの図のような形状あるいはその他の形状になるように形成されてもよい。さらに、バンド挿通部３およびバンド挿通孔３１のそれぞれが異なる形状に形成されてもよく、そのような態様としては、例えば、三角形状に形成されたバンド挿通孔３１に対し略円形状に形成されたバンド挿通部３、略円形状に形成されたバンド挿通孔３１に対し矩形状に形成されたバンド挿通部３、略六角形に形成されたバンド挿通孔３１に対し略三角形状に形成されたバンド挿通部３などの態様を挙げることができる。
【００１７】
次に、図１および図３に示すように、本第１実施形態において、磁性体部４はバンド本体２の一面側（正面）２５の他端側２３における他端２４から所定長さ範囲の位置に、磁性体部４の点ファスナー４１によって固着されており、図１〜３および図８に示すように、一面側（正面）２５が外向きとなるように他端側２３を他端２４からバンド挿通孔３１へ当該所定長さ範囲挿通して一端側２１に摺接するようにして引っ張り上げた際にバンド挿通部３の一端側部分３２が磁性体部４に掛止することにより、バンド本体２を略ループ状に保持することができ、線条材Ｓの巻回ないし結束した状態を保持することができるとともに磁着可能な対象物に磁着して固着（接着）することができる。なお、図８においては、一端側部分３２は磁性体部４の点ファスナー４１に掛止されているが、一端側部分３２は磁性体部４に掛止されていればよい。
【００１８】
本第１実施形態において、磁性体部４に用いられる磁性体は、巻回ないし結束した線条材Ｓを鉄柱や手摺りなどの磁着可能な高所へ磁着させ固着（接着）させて吊し上げることができる限りにおいて特に限定されないが、磁力の強い磁石を用いるのが好ましく、そのような磁石としては、例えば、アルニコ磁石、フェライト磁石、ネオジム磁石、サマリウムコバルト磁石などの磁力の強い永久磁石を挙げることができる。
【００１９】
また、本第１実施形態において、点ファスナー４１は、磁性体部４をバンド本体２に固着してバンド挿通部３の一端側部分３２が磁性体部４に掛止できる限りにおいて特に限定されず、またその個数も特に限定されないが、そのような点ファスナーとしては、例えば、ボルト、ねじ、ナット、釘、リベット、止め輪、割りピン、スナップピンおよびスプリングピンの群からなる１つまたは２つ以上の点ファスナーを挙げることができ、適宜選択してその１つまたは２つ以上を用いることができる。
【００２０】
次に、本発明に係る線条材結束具の第２実施形態の各構成について説明する。なお、本第２実施形態のうち、上述した第１実施形態の構成と同一若しくは相当する構成については同一の符号を付して再度の説明を省略する。
【００２１】
本第２実施形態において、図４に示すように、バンド本体２の他端側２３における磁性体部４と他端２４との間には、他端係止部２６がバンド本体２から延設するようにして形成されている。換言すれば、他端係止部２６はバンド本体２に付設（外付け）されたものではなく、長尺状に延びかつ帯状に形成されたバンド本体２を延伸して形成されたものであり、他端側２３の一部分を構成するものであるから、バンド本体２および他端側２３と同じ材質であって可撓性を有している。また、図４に示すように、他端係止部２６の最大幅値（最も長いところの長さ）であるＬ２の値は、バンド挿通孔３１の孔径（径の長さ）Ｌ１の値より大きく、従って可撓性を有する他端係止部２６は、バンド挿通孔３１の孔径（径の長さ）Ｌ１よりも長い幅Ｌ２を有してバンド挿通孔３１に挿通した際にバンド挿通部３に係止し得る。これにより、たとえ磁性体部４に掛止していたバンド挿通部３の一端側部分３２が磁性体部４から外れてしまった場合でも、他端側２３はバンド挿通孔３１に係止することができ、線条材Ｓが巻回ないし結束された状態を維持し得る。
【００２２】
次に、本発明に係る線条材結束具の第３実施形態の各構成について説明する。なお、本第３実施形態のうち、上述した第１実施形態および第２実施形態の構成と同一若しくは相当する構成については同一の符号を付して再度の説明を省略する。
【００２３】
本第３実施形態において、図５に示すように、バンド挿通部３にはバンド挿通部３から一端２２の方向へ延設するようにして凸部３３が形成されている。すなわち、凸部３３は一端２２を含んだ一端側２１およびバンド本体２の一部分を構成している。ここで、凸部３３やバンド挿通部３を含む一端側２１の形状は図５に示すような形状に限定されず、本発明の特徴を損なわない範囲においていかなる形状となるように形成されてもよい。例えば、図７（Ｂ）に示されている４つの図のような形状あるいはその他の形状になるように形成されてもよく、さらには、バンド挿通部３およびバンド挿通孔３１のそれぞれが異なった形状に形成されてもよいことは上述の通りであるうえ、凸部３３の幅の長さとバンド本体２の幅の長さが異なるように形成されてもよい。
【００２４】
加えて、本第３実施形態においては、図５、図９および図１０に示すように、磁性体部４と他端２４との間には、一端側部分３２が磁性体部４に掛止してバンド本体２が略ループ状に保持された際に凸部３３が挿嵌可能な、挿嵌孔２７が形成されている。図９および図１０に示すように、一端側部分３２が磁性体部４に掛止してバンド本体２が略ループ状に保持されて線条材Ｓが巻回ないし結束された際、凸部３３を挿嵌孔２７に挿嵌することにより、その巻回ないし結束した略ループ状の状態を安定して保持することができ、線条材Ｓが巻回ないし結束された状態を安定して維持することができる。
【００２５】
次に、本発明に係る線条材結束具の第４実施形態の各構成について説明する。なお、本第４実施形態のうち、上述した第１実施形態、第２実施形態および第３実施形態の構成と同一若しくは相当する構成については同一の符号を付して再度の説明を省略する。
【００２６】
本第４実施形態において、図６に示すように、バンド挿通部３には第３実施形態と同様にバンド挿通部３から一端２２の方向へ延設するようにして凸部３３が形成されているとともに、他端係止部２６には第３実施形態と同様、凸部３３が挿嵌可能な挿嵌孔２７が形成されている。これにより略ループ状の状態を安定して保持することができ、線条材Ｓが巻回ないし結束された状態を安定して維持することができるとともに、仮に磁性体部４に掛止していたバンド挿通部３の一端側部分３２が磁性体部４から外れてしまった場合でも、線条材Ｓが巻回ないし結束された状態を維持し得る。
【００２７】
次に、本発明に係る線条材結束具の作用について、第４実施形態および関連する図面を用いて説明する。
【００２８】
図８および図１０に示すように、先ず、一面側（正面）２５すなわち磁性体部４が外向きとなるように線条材Ｓに線条材結束具１を巻回させ、線条材結束具１の他端２４（他端側２３の他端２４、他端係止部２６の他端２４）をバンド挿入部３のバンド挿通孔３１へ、巻回した線条材Ｓに合わせて他端側２３における適宜所定の長さおよび範囲を挿通する。当該他端側２３を所定長さ範囲挿通した後、他端２４を含む他端側２３（他端２４を含む他端係止部２６）を一端側２１に摺接するようにして引っ張り上げることでバンド挿通部３の一端側部分３２が磁性体部４（磁性体部４の点ファスナー４１）に掛止する。これによりバンド本体２を略ループ状に保持することができ、線条材Ｓを巻回ないし結束した状態を維持することができる。
【００２９】
次に、図９および図１０に示すように、一端側部分３２が磁性体部４に掛止した際、凸部３３を挿嵌孔２７へ挿嵌する。これによりバンド本体２による略ループ状の状態を安定して保持することができ、その結果、線条材Ｓの巻回ないし結束したままの状態をより安定的に維持することができる。
【００３０】
そして、図９および図１０に示すように、例えば磁力の強い磁性体部４ゆえに、線条材Ｓを巻回ないし結束した状態で磁性体部４を磁着可能な鉄柱や手摺りなどの高所へ向けて放り投げることにより磁性体部４を磁着させて固着（接着）させ、その結果、線条材Ｓの巻回ないし結束したまま状態を維持しつつ、鉄柱や手摺りなどの磁着可能な高所へ吊し上げるなど、簡便、容易、かつスピーディーに、線条材Ｓを巻回ないし結束して鉄柱や手摺りなどの磁着可能な高所へ吊し上げることができる。
【００３１】
また、仮に、挿嵌孔２７へ挿嵌していた凸部３３が挿嵌孔２７から外れてしまうとともに、磁性体部４に掛止していた一端側部分３２が磁性体部４から外れてしまった場合でも、バンド挿通孔３１の孔径Ｌ１と比較して長い最大幅Ｌ２を有する他端係止部２６がバンド挿通部３に係止し得るため、引き続き、線条材Ｓが巻回ないし結束された状態を維持し得る。
【００３２】
以上のような第１実施形態〜第４実施形態の線条材結束具１によれば、以下の効果を得ることができる。
１．略ループ状の長尺状に延びかつ帯状に形成された可撓性を有するバンド本体２により高い巻回性を実現することができる。
２．バンド本体２から長さ方向へ延設されるように形成されたバンド挿通部３へ、同じくバンド本体２の長さ方向にある他端側２３を、簡便、容易、かつスピーディーに挿通することができて、線条材Ｓを簡便、容易、かつスピーディーに巻回ないし結束することができる。
３．線条材Ｓを巻回ないし結束して略ループ状の状態を形成した際に他端側２３の一面側２５（正面・いわゆる外面）に現れるように配設した磁性体部４にバンド挿通部３の一端側部分３２を簡便、容易、かつスピーディーに掛止することができる。
４．磁力の強い磁性体部４ゆえに、線条材Ｓを巻回ないし結束した状態で磁性体部４を鉄柱や手摺りなどの磁着可能な高所へ向けて放り投げることにより磁性体部４を磁着させて固着（接着）させることができ、その結果、巻回ないし結束した線条材Ｓを鉄柱や手摺りなどの磁着可能な高所へ簡便、容易、かつスピーディーに吊し上げることができる。
【００３３】
なお、本発明に係る線条材結束具は、上述した各実施形態に限定されるものではなく、適宜変更することができる。
【００３４】
例えば、バンド本体２は長尺状に延びかつ帯状に形成したが、本発明の特徴を損なわない範囲で紐状や数珠繋ぎ状に形成し、バンド挿通部３や他端係止部２６を付設（外付け）してもよい。
【符号の説明】
【００３５】
１  線条材結束具
２  バンド本体
３  バンド挿通部
４  磁性体部
２１  一端側
２２  一端
２３  他端側
２４  他端
２５  一面側（正面）
２６  他端係止部
２７  挿嵌孔
３１  バンド挿通孔
３２  一端側部分
３３  凸部
４１  点ファスナー
Ｌ１  バンド挿通孔の孔径（径の長さ）
Ｌ２  他端径止部の最大幅（最も幅の長いところの長さ）
Ｓ  線条材
【要約】
【課題】  電気ケーブルやロープ、ホースなどの線条材を１本以上巻回ないし結束して磁着可能な鉄柱および手摺りなどへの磁着による固着（接着）および吊し上げが可能な線条材結束具を提供する。
【解決手段】  長尺状に延びかつ帯状に形成された可撓性を有するバンド本体と、バンド本体の長さ方向における一端側にバンド本体から延設するように形成されて、バンド本体の長さ方向における他端側が挿通されるバンド挿通孔を有するバンド挿通部と、他端側の一面側に点ファスナーで固着されて、一面側が外向きとなるように他端側をバンド挿通孔へ所定長さ範囲挿通して一端側に摺接するようにして引っ張り上げた際にバンド挿通部の一端側部分を掛止してバンド本体を略ループ状に保持するとともに磁着可能な対象物に磁着して固着（接着）する磁性体部とを備える。
【選択図】  図１０【図１】
0005920682.tif 000002
【図２】
0005920682.tif 000003
【図３】
0005920682.tif 000004
【図４】
0005920682.tif 000005
【図５】
0005920682.tif 000006
【図６】
0005920682.tif 000007
【図７】
0005920682.tif 000008
【図８】
0005920682.tif 000009
【図９】
0005920682.tif 000010
【図１０】
0005920682.tif 000011